【手続補正書】
【提出日】平成18年11月27日(2006.11.27)
【手続補正１】
【補正対象書類名】明細書
【補正対象項目名】発明の名称
【補正方法】変更
【補正の内容】
【発明の名称】通信システム、情報処理装置、データ通信装置、制御方法、及び、記憶媒体
【手続補正２】
【補正対象書類名】明細書
【補正対象項目名】特許請求の範囲
【補正方法】変更
【補正の内容】
【特許請求の範囲】
【請求項１】  情報処理装置と、前記情報処理装置に接続されるデータ通信装置とを有し、前記情報処理装置は、第１のモードに移行する前に、第２のモードに規定されている命令を用いて、第１のモードに関する情報を前記データ通信装置より獲得する手段を有することを特徴とする通信システム。
【請求項２】  データ通信装置に接続される情報処理装置であって、第１のモードに移行する前に、第２のモードに規定されている命令を用いて、第１のモードに関する情報を前記データ通信装置より獲得する手段を有することを特徴とする情報処理装置。
【請求項３】  情報処理装置に接続されるデータ通信装置であって、第１のモードに移行する前に前記情報処理装置より送信される第２のモードに規定されている命令を受信した際、第１のモードに関する情報を前記情報処理装置に送信する手段を有することを特徴とするデータ通信装置。
【請求項４】  前記第１のモードは、ＩＥＥＥ１２８４．４モードであり、前記第２のモードは、ＩＥＥＥ１２８４モードであり、前記規定された命令は、デバイスＩＤ要求であり、前記第１のモードに関する情報とは、前記第１のモードでチャネルオープンする際に必要な情報であることを特徴とする請求項３記載のデータ通信装置。
【請求項５】  前記第１のモードは、ＩＥＥＥ１２８４．４モードであり、前記第２のモードは、ＩＥＥＥ１２８４モードであり、前記規定された命令は、デバイスＩＤ要求であり、前記第１のモードに関する情報とは、前記データ通信装置が前記第１のモードをサポートしているか否かを示す情報であることを特徴とする請求項３記載のデータ通信装置。
【請求項６】  前記第１のモードの使用禁止が設定されている場合、前記第１のモードをサポートしていないことを示す情報を前記情報処理装置に送信し、前記第１のモードの使用禁止が設定されていない場合、前記第１のモードをサポートしていることを示す情報を前記情報処理装置に送信する手段を有することを特徴とする請求項３記載のデータ通信装置。
【請求項７】  前記情報処理装置は、獲得した情報に基づき、データ通信装置が前記第１のモードに移行可能か判別し、移行可能ならば、前記第１のモードに移行し、前記第１のモードで通信し、移行不可能ならば、前記第２のモードで通信することを特徴とする請求項３記載のデータ通信装置。
【請求項８】  前記データ通信装置は、プリンタであることを特徴とする請求項３記載のデータ通信装置。
【請求項９】  データ通信装置に接続される情報処理装置の制御方法であって、第１のモードに移行する前に、第２のモードに規定されている命令を用いて、第１のモードに関する情報を前記データ通信装置より獲得するステップを有することを特徴とする制御方法。
【請求項１０】  前記第１のモードは、ＩＥＥＥ１２８４．４モードであり、前記第２のモードは、ＩＥＥＥ１２８４モードであり、前記規定された命令は、デバイスＩＤ要求であり、前記第１のモードに関する情報とは、前記第１のモードでチャネルオープンする際に必要な情報であることを特徴とする請求項９記載の制御方法。
【請求項１１】  前記第１のモードは、ＩＥＥＥ１２８４．４モードであり、前記第２のモードは、ＩＥＥＥ１２８４モードであり、前記規定された命令は、デバイスＩＤ要求であり、前記第１のモードに関する情報とは、前記データ通信装置が前記第１のモードをサポートしているか否かを示す情報であることを特徴とする請求項９記載の制御方法。
【請求項１２】  前記データ通信装置は、前記第１のモードの使用禁止が設定されている場合、前記第１のモードをサポートしていないことを示す情報を情報処理装置に送信し、前記第１のモードの使用禁止が設定されていない場合、前記第１のモードをサポートしていることを示す情報を情報処理装置に送信することを特徴とする請求項９記載の制御方法。
【請求項１３】  前記獲得した情報に基づき、データ通信装置が前記第１のモードに移行可能か判別し、移行可能ならば、前記第１のモードに移行し、前記第１のモードで通信し、移行不可能ならば、前記第２のモードで通信するステップを有することを特徴とする請求項９記載の制御方法。
【請求項１４】  情報処理装置に接続されるデータ通信装置の制御方法であって、第１のモードに移行する前に情報処理装置より送信される第２のモードに規定されている命令を受信した際、第１のモードに関する情報を前記情報処理装置に送信するステップを有することを特徴とする制御方法。
【請求項１５】  データ通信装置に接続される情報処理装置の制御プログラムを記憶する記憶媒体であって、前記制御プログラムは、第１のモードに移行する前に、第２のモードに規定されている命令を用いて、第１のモードに関する情報を前記データ通信装置より獲得するステップを有することを特徴とする記憶媒体。
【請求項１６】  情報処理装置に接続されるデータ通信装置の制御プログラムを記憶する記憶媒体であって、前記制御プログラムは、第１のモードに移行する前に前記情報処理装置より送信される第２のモードに規定されている命令を受信した際、第１のモードに関する情報を前記情報処理装置に送信するステップを有することを特徴とする記憶媒体。
【手続補正３】
【補正対象書類名】明細書
【補正対象項目名】０００１
【補正方法】変更
【補正の内容】
【０００１】
【発明の属する技術分野】
本発明は、第１のモードを利用してデータ通信を行う通信システム、情報処理装置、データ通信装置、制御方法、及び、記憶媒体に関するものである。
【手続補正４】
【補正対象書類名】明細書
【補正対象項目名】０００８
【補正方法】変更
【補正の内容】
【０００８】
上記課題を解決するために本発明の目的は、情報処理装置が、第１のモードに移行する前に、データ通信装置の第１のモードに関する情報を確認できるようにすることにある。
【手続補正５】
【補正対象書類名】明細書
【補正対象項目名】０００９
【補正方法】変更
【補正の内容】
【０００９】
また、情報処理装置が、第１のモードに移行する前に、接続されているデータ通信装置が、第１のモードに移行できるか確認できるようにすることにある。
【手続補正６】
【補正対象書類名】明細書
【補正対象項目名】００１０
【補正方法】変更
【補正の内容】
【００１０】
【課題を解決する為の手段】
上記目的を達成するために本発明の通信システムは、情報処理装置と、前記情報処理装置に接続されるデータ通信装置とを有し、前記情報処理装置は、第１のモードに移行する前に、第２のモードに規定されている命令を用いて、第１のモードに関する情報を前記データ通信装置より獲得する手段を有することを特徴とする。
【手続補正７】
【補正対象書類名】明細書
【補正対象項目名】００１１
【補正方法】変更
【補正の内容】
【００１１】
また、本発明の情報処理装置は、データ通信装置に接続される情報処理装置であって、第１のモードに移行する前に、第２のモードに規定されている命令を用いて、第１のモードに関する情報を前記データ通信装置より獲得する手段を有することを特徴とする。
【手続補正８】
【補正対象書類名】明細書
【補正対象項目名】００１２
【補正方法】変更
【補正の内容】
【００１２】
また、本発明のデータ通信装置は、情報処理装置に接続されるデータ通信装置であって、第１のモードに移行する前に前記情報処理装置より送信される第２のモードに規定されている命令を受信した際、第１のモードに関する情報を前記情報処理装置に送信する手段を有することを特徴とする。
【手続補正９】
【補正対象書類名】明細書
【補正対象項目名】００１３
【補正方法】変更
【補正の内容】
【００１３】
また、本発明の制御方法は、データ通信装置に接続される情報処理装置の制御方法であって、第１のモードに移行する前に、第２のモードに規定されている命令を用いて、第１のモードに関する情報を前記データ通信装置より獲得するステップを有することを特徴とする。
【手続補正１０】
【補正対象書類名】明細書
【補正対象項目名】００１４
【補正方法】変更
【補正の内容】
【００１４】
また、本発明の制御方法は、情報処理装置に接続されるデータ通信装置の制御方法であって、第１のモードに移行する前に情報処理装置より送信される第２のモードに規定されている命令を受信した際、第１のモードに関する情報を前記情報処理装置に送信するステップを有することを特徴とする。
【手続補正１１】
【補正対象書類名】明細書
【補正対象項目名】００１５
【補正方法】変更
【補正の内容】
【００１５】
また、本発明の記憶媒体は、データ通信装置に接続される情報処理装置の制御プログラムを記憶する記憶媒体であって、前記制御プログラムは、第１のモードに移行する前に、第２のモードに規定されている命令を用いて、第１のモードに関する情報を前記データ通信装置より獲得するステップを有することを特徴とする。
【手続補正１２】
【補正対象書類名】明細書
【補正対象項目名】００１６
【補正方法】変更
【補正の内容】
【００１６】
また、本発明の記憶媒体は、情報処理装置に接続されるデータ通信装置の制御プログラムを記憶する記憶媒体であって、前記制御プログラムは、第１のモードに移行する前に前記情報処理装置より送信される第２のモードに規定されている命令を受信した際、第１のモードに関する情報を前記情報処理装置に送信するステップを有することを特徴とする。
【手続補正１３】
【補正対象書類名】明細書
【補正対象項目名】００５６
【補正方法】変更
【補正の内容】
【００５６】
【発明の効果】
以上詳述したように本発明によれば、情報処理装置が、第１のモードに移行する前に、データ通信装置の第１のモードに関する情報を確認できるようにすることにある。
【手続補正１４】
【補正対象書類名】明細書
【補正対象項目名】００５７
【補正方法】変更
【補正の内容】
【００５７】
また、情報処理装置が、第１のモードに移行する前に、接続されているデータ通信装置が、第１のモードに移行できるか確認できるようにすることにある。